(57)【要約】【課題】大面積の塗布対象に対して快適な塗布動作を実現する。【解決手段】容器本体１０と、容器本体１０の口部１２に相対回転不能に装着する下キャップ２０と、下キャップ２０の上部に相対回転可能に連結し、斜め上向きのソケット部３２を有する上キャップ３０と、ホルダ４０を介してソケット部３２に着脱可能に装着する塗布体Ａとを設ける。【選択図】図１
2014001008.tif 000002
【特許請求の範囲】
【請求項１】
容器本体と、該容器本体の口部に相対回転不能に装着する下キャップと、該下キャップの上部に相対回転可能に連結し、斜め上向きの横長のソケット部を有する上キャップと、前記ソケット部に装着する塗布体とを備えてなり、前記下キャップは、前記容器本体に連通する横向きの連通孔を有し、前記上キャップは、正逆に回転させることにより、前記ソケット部の奥部の流出孔が前記連通孔に対面する開位置と、前記流出孔が前記連通孔から外れる閉位置とに切換操作可能であり、前記塗布体は、前記ソケット部の前端に突出する横長の端面を塗布面とすることを特徴とする塗布容器。
【請求項２】
前記塗布体は、ホルダを介して前記ソケット部に着脱可能に装着することを特徴とする請求項１記載の塗布容器。
【請求項３】
前記ホルダは、前記塗布体を上下に挟み込んで保持することを特徴とする請求項２記載の塗布容器。
【請求項４】
前記ホルダは、前記塗布体を上下に折り重ねて保持することを特徴とする請求項３記載の塗布容器。
【請求項５】
前記ホルダは、前記ソケット部と一体に形成することを特徴とする請求項２ないし請求項４のいずれか記載の塗布容器。
【発明の詳細な説明】
【技術分野】
【０００１】
この発明は、たとえば筋肉消炎剤などの薬液を塗布するために使用する塗布容器に関する。
【背景技術】
【０００２】
連続気泡の発泡体の塗布部材に薬液を含浸させて塗布する塗布容器が知られている（たとえば特許文献１）。
【０００３】
従来の塗布容器は、適切なアダプタを介して薄い円形の塗布部材を容器の口部にドーム状に装着し、アダプタに組み込むばね付きの弁体により、アダプタの中央部に開口する薬液の流出口を開閉するように構成されている。かかる塗布容器は、塗布部材を身体に接触させて移動することにより、弁体が開いて流出口からの薬液が塗布部材に含浸され、皮膚に塗布することができる。
【先行技術文献】
【特許文献】
【０００４】
【特許文献１】特開２００７−９８３７３号公報
【発明の概要】
【発明が解決しようとする課題】
【０００５】
かかる従来技術によるときは、薄いドーム状の塗布部材は、中央部の流出口から薬液を供給しても、皮膚との接触面積が小さい上、弁体が開く時間も限られているため、塗布動作の一回当りの塗布面積が小さく、使い勝手がよくないという問題があった。なお、この問題は、広い塗布面積を要する背中やふくらはぎなどの大面積の部位を塗布対象とする場合に殊に深刻である。
【０００６】
そこで、この発明の目的は、かかる従来技術の問題に鑑み、横長のソケット部に装着する塗布体の横長の端面を塗布面とすることによって、大面積の塗布対象であっても快適な塗布動作を容易に実現することができる塗布容器を提供することにある。
【課題を解決するための手段】
【０００７】
かかる目的を達成するためのこの発明の構成は、容器本体と、容器本体の口部に相対回転不能に装着する下キャップと、下キャップの上部に相対回転可能に連結し、斜め上向きの横長のソケット部を有する上キャップと、ソケット部に装着する塗布体とを備えてなり、下キャップは、容器本体に連通する横向きの連通孔を有し、上キャップは、正逆に回転させることにより、ソケット部の奥部の流出孔が連通孔に対面する開位置と、流出孔が連通孔から外れる閉位置とに切換操作可能であり、塗布体は、ソケット部の前端に突出する横長の端面を塗布面とすることをその要旨とする。
【０００８】
なお、塗布体は、ホルダを介してソケット部に着脱可能に装着することができる。
【０００９】
また、ホルダは、塗布体を上下に挟み込んで保持してもよく、塗布体を上下に折り重ねて保持してもよい。
【００１０】
なお、ホルダは、ソケット部と一体に形成してもよい。
【発明の効果】
【００１１】
かかる発明の構成によるときは、塗布体は、上キャップの横長のソケット部に装着されている。そこで、塗布体は、上キャップを開位置にセットすることにより、下キャップの連通孔、ソケット部の奥部の流出孔を介して容器本体内の薬液が連続的に十分に供給され、ソケット部の前端に突出する横長の端面を塗布面として大面積の塗布対象を効率よく快適に塗布することができる。また、上キャップのソケット部は、斜め上向きであるため、手が届き難い背中などの部位に対しても容易に塗布可能である。
【００１２】
なお、塗布体は、ホルダを介してソケット部に装着することにより、着脱や交換が容易であり、全体としての使い勝手を一層向上させることができる。また、塗布体を上下に挟み込んで保持するホルダは、柔軟な発泡体の塗布体であっても、塗布動作に際してソケット部から不用意に外れたりするおそれがない。さらに、塗布体を上下に折り重ねて保持するホルダを使用すれば、上下に二重に重なる塗布体の前端面を塗布面として利用することができ、肌触りがソフトとなって塗布動作を一層快適にすることができる。
【００１３】
ホルダをソケット部と一体に形成すれば、全体の所要部品点数が少なくなり、製造コストを削減することができる。
【図面の簡単な説明】
【００１４】
【図１】全体構成分解斜視図
【図２】下キャップの構成説明図
【図３】上キャップの構成説明図（１）
【図４】上キャップの構成説明図（２）
【図５】ホルダ、塗布体の分解斜視図
【図６】ホルダの動作説明図（１）
【図７】ホルダの動作説明図（２）
【図８】キャップの構成説明図
【図９】動作説明図（１）
【図１０】動作説明図（２）
【図１１】他の実施の形態を示す要部構成説明図
【図１２】他の実施の形態を示す要部斜視図
【発明を実施するための形態】
【００１５】
以下、図面を以って発明の実施の形態を説明する。
【００１６】
塗布容器は、容器本体１０、下キャップ２０、上キャップ３０、ホルダ４０、塗布体Ａ、キャップ５０を組み合わせてなる（図１）。
【００１７】
容器本体１０は、縦長の円筒状の胴部１１の上端に円形の口部１２を形成する柔軟なプラスチック容器である。容器本体１０は、胴部１１を押圧して変形させることにより、内部の薬液を下キャップ２０、上キャップ３０を介して塗布体Ａに流出させることができる。口部１２の外周には、環状リブ１３の上方に軸方向のガイドリブ１４、１４…が上向きに形成されている。各ガイドリブ１４は、上端を山形に形成するとともに、口部１２の周方向に４条が９０°おきに等間隔に形成されている。
【００１８】
下キャップ２０は、大径のスカート部２１の上方に、短い外筒２２、やや長い内筒２３、上端を閉じる長い段付きの中筒２４を上向きに同心円状に形成している（図１、図２）。ただし、図２（Ａ）、（Ｂ）は、それぞれ一部破断斜視図、上面図であり、図２（Ｃ）、（Ｄ）は、それぞれ図２（Ｂ）のＸ1 −Ｘ1 線、Ｘ2 −Ｘ2 線矢視相当断面図であり、図２（Ｅ）は、図２（Ａ）のＸ3 −Ｘ3 線矢視相当断面図である。
【００１９】
スカート部２１の下端部内周には、環状リブ２１ａが形成され、環状リブ２１ａの上方には、軸方向のガイドリブ２１ｂ、２１ｂ…がスカート部２１の天面から下向きに形成されている。各ガイドリブ２１ｂは、下端を山形に形成するとともに、スカート部２１の周方向に８条が等間隔に形成されている。また、スカート部２１の天面には、短いスカート状の栓部２１ｃが同心円状に垂設され、栓部２１ｃの下端部外面は、下向きに滑らかな薄肉に形成されている。
【００２０】
上向きの外筒２２の上部内周は、薄肉の段部２２ａに形成されている。なお、外筒２２の外周の１箇所には、軸方向の突部２２ｂが形成されている。
【００２１】
内筒２３の上端部内周には、環状リブ２３ａが形成されている。また、内筒２３の上端には、外筒２２上の突部２２ｂから周方向に９０°離れた位置に湾曲片２５が立設されており、湾曲片２５の背面側には、左右の浅溝２５ａ、２５ａが軸方向に形成されている。
【００２２】
中筒２４の上部には、連通孔２６が横向きに開口されている。連通孔２６の開口方向は、外筒２２上の突部２２ｂの位置に対して軸対称方向であり、したがって、内筒２３上の湾曲片２５の位置に対して直交方向である。
【００２３】
上キャップ３０は、下向きの円筒部３１に対して斜め上向きの横長のソケット部３２を一体に形成している（図１、図３）。ただし、図３（Ａ）は、ソケット部３２に対する上面図、図３（Ｂ）、（Ｃ）は、それぞれ図３（Ａ）のＹ1 矢視相当図、図３（Ｂ）のＹ2 矢視相当図である。
【００２４】
円筒部３１の下端部外周は、薄肉の段部３１ａに形成されている（図３、図４）。また、円筒部３１の外周の１箇所には、軸方向の突部３１ｂが形成されており、突部３１ｂは、ソケット部３２の反対側に位置している。ただし、図４（Ａ）は、図３（Ａ）のＹ3 −Ｙ3 線矢視相当拡大断面図であり、図４（Ｂ）は、図４（Ａ）のＹ4 −Ｙ4 線矢視相当断面図である。
【００２５】
円筒部３１の内部には、長短のスカート状の保持筒３３、連結筒３４が同心円状に垂設されている。保持筒３３の下部外周には、環状リブ３３ａが形成され、連結筒３４の下端部内周は、下向きに滑らかに開拡されている。また、連結筒３４の内周中間部よりやや下方には、環状のシールリブ３４ａが形成されている。
【００２６】
円筒部３１、保持筒３３の間には、一対の径方向のストッパ３５、３５が形成されている。また、円筒部３１の内周上部には、短い軸方向の突条３６、３６が形成されている。各ストッパ３５、各突条３６の上端は、それぞれ円筒部３１の天面に到達しており、それぞれの下端は、円筒部３１の天面から円筒部３１の長さの約１／３相当だけ垂下している。なお、ストッパ３５、３５は、円筒部３１、保持筒３３の周方向に１８０°近く離れて形成され、突条３６、３６は、それぞれ一方のストッパ３５から内側に等間隔に離れて配置されている。
【００２７】
ソケット部３２は、円筒部３１の上半部に対して斜め上向きに連結する横長の箱状に形成されている。なお、ソケット部３２の後面側は、左右の連結部３２ａ、３２ａを介して円筒部３１の上端部に滑らかに連結されている。
【００２８】
ソケット部３２の前端は、全面的に開放されている。また、ソケット部３２の上辺、下辺の前端中央部には、それぞれほぼ半円形の切欠き３２ｂが形成され、ソケット部３２の外周中間部、外周後部には、それぞれ低い環状リブ３２ｃ、外フランジ３２ｄが互いに平行に形成されている。ただし、外フランジ３２ｄは、ソケット部３２の左右の短辺上では、上下の長辺上に比して滑らかに低く形成されている。
【００２９】
ソケット部３２の内部は、中間部よりやや前方の低い段部３２ｅを介し、前側、奥側がそれぞれ拡幅部３２ｆ、本体部３２ｇの空間に形成されている。拡幅部３２ｆの上辺、下辺の内面には、それぞれ切欠き３２ｂの左右に横長の突部３２ｈ、３２ｈが形成されている。また、本体部３２ｇの奥壁の中央には、円筒部３１側の連結筒３４の内部に連通する流出孔３７が開口されている。流出孔３７は、連結筒３４から本体部３２ｇに向けてテーパ状に開拡されており、本体部３２ｇの奥壁上には、流出孔３７を含んで左右に伸びる浅い凹部３７ａが形成されている。
【００３０】
ホルダ４０は、上下一対のカバー材４１、４１を備えている（図５）。カバー材４１、４１は、左右の薄肉のヒンジ４２、４２を介して開閉自在に連結されており、各カバー材４１の先端縁には、外向きのフランジ４１ａが形成されている。また、カバー材４１、４１の相対応する左右の短辺上には、それぞれフック４３、４３と、フック４３、４３が弾発的に係合可能な窓４３ａ、４３ａ付きの係合片４３ｂとが互い違いに形成されている。また、各カバー材４１の内面には、小さな円錐形の突起４４、４４…が突設され、左右のフック４３、４３、係合片４３ｂと平行に左右の仕切板４５、４５が立設されている。各仕切板４５は、長さ方向の約１／２ずつが互い違いに高低に形成され、上下のカバー材４１、４１を閉じると、互いに平板状に噛み合うことができる。
【００３１】
なお、各カバー材４１において、フック４３、４３と一方の仕切板４５、係合片４３ｂと他方の仕切板４５は、それぞれ共通の仕切壁４２ａを介してヒンジ４２とカバー材４１との連結部分に接続されている。また、左右のヒンジ４２、４２の間は、開口部４２ｂとなっている。
【００３２】
塗布体Ａは、連続気泡の柔軟なプラスチック材の発泡体である。塗布体Ａの全体形状は、長方形の一方の長辺側を左右に突出させることにより、ほぼ凸字状の厚板に形成されている。
【００３３】
ホルダ４０は、塗布体Ａを挟むようにして上下のカバー材４１、４１を閉じると（図６（Ａ））、カバー材４１、４１により塗布体Ａを上下に挟み込んで保持することができる。このとき、塗布体Ａは、左右に長い一方の長辺側が外部に突出し、カバー材４１、４１は、一方のフック４３、４３が他方の係合片４３ｂの窓４３ａ、４３ａに弾発的に係合し、一挙動で閉じて塗布体Ａの保持状態を維持することができる。また、ホルダ４０内の塗布体Ａは、カバー材４１、４１の内面の突起４４、４４…が両面に突き刺さることにより、機械的に十分強力に保持することができる（図６（Ｂ））。ただし、図６（Ｂ）は、図６（Ａ）の中央縦断面相当図である。
【００３４】
図６（Ａ）のカバー材４１、４１は、フランジ４１ａ、４１ａ側を上下に開く方向に力を加えると、簡単に開いて塗布体Ａを取り外すことができる。なお、カバー材４１、４１の外面には、それぞれフランジ４１ａに近い位置に左右の横長の突部４１ｂ、４１ｂが形成されている。
【００３５】
塗布体Ａは、ホルダ４０を介して上キャップ３０のソケット部３２に着脱自在に装着することができる（図７（Ａ）、（Ｂ））。このとき、ホルダ４０は、各カバー材４１の先端縁のフランジ４１ａがソケット部３２の前端に当接して位置決めされる。また、各カバー材４１の外面の各突部４１ｂは、ソケット部３２の上辺、下辺の内面の対応する突部３２ｈを乗り越えるようにして係合し、ソケット部３２内のホルダ４０を抜け止めする。一方、ホルダ４０は、ソケット部３２の前端の切欠き３２ｂ、３２ｂを介して外部に露出している部分を手指で上下に挟むようにして押圧すると（図７（Ａ）の二点鎖線））、ホルダ４０側の突部４１ｂ、４１ｂ…がソケット部３２側の突部３２ｈ、３２ｈ…から外れ、ソケット部３２から簡単に取り出すことができる。なお、図７（Ｂ）は、図４（Ｂ）のＡ1 −Ａ1 線矢視、図６（Ａ）のＡ2 −Ａ2 線矢視の各拡大断面図を組み合わせて図示する模式拡大図である。
【００３６】
キャップ５０は、上キャップ３０のソケット部３２に適合する横長に形成されている（図１、図８）。ただし、図８（Ａ）、（Ｂ）は、それぞれ長辺方向、短辺方向の中央縦断面図、図８（Ｃ）、（Ｄ）は、それぞれ図８（Ａ）のＺ1 −Ｚ1 線、Ｚ2 −Ｚ2 線矢視相当拡大断面図である。
【００３７】
キャップ５０の開口端周縁には、低い外フランジ５１が全周に形成されている。また、キャップ５０の長辺側、短辺側の外面には、それぞれ滑り止め用の横リブ５２、５２…、５３、５３…が形成されている。一方、キャップ５０の内面は、開口端から奥に向けて、斜めの開拡部５４ａ、平行部５４ｂ、低い斜めの段部５４ｃが順に形成され、各長辺側、短辺側の中央部分は、開拡部５４ａを平行部５４ｂに向けて拡幅することにより断面山形の膨出部５４ｄに形成されている。
【００３８】
下キャップ２０は、容器本体１０の口部１２に相対回転不能に装着することができる（図１、図９（Ａ））。すなわち、下キャップ２０のスカート部２１の内面の軸方向のガイドリブ２１ｂ、２１ｂ…は、容器本体１０の口部１２の外面の軸方向のガイドリブ１４、１４…に対して上下に噛み合うように係合して下キャップ２０を相対回転不能に拘束する。また、下キャップ２０の栓部２１ｃは、容器本体１０の口部１２に圧入されて口部１２を液密にシールし、下キャップ２０側、容器本体１０側の環状リブ２１ａ、１３が上下に係合して下キャップ２０を抜け止めすることができる。
【００３９】
一方、上キャップ３０は、下キャップ２０の上部に相対回転可能に連結することができる。すなわち、下キャップ２０の中筒２４は、上キャップ３０の連結筒３４に進入し、連結筒３４のシールリブ３４ａを介して外周が液密にシールされる。また、上キャップ３０側の下端の薄肉の段部３１ａは、下キャップ２０の外筒２２の上端の薄肉の段部２２ａに対して上から嵌合し、上キャップ３０側、下キャップ２０側の環状リブ３３ａ、２３ａが上下に係合して上キャップ３０が抜け止めされる。さらに、下キャップ２０の湾曲片２５は、上キャップ３０の円筒部３１、保持筒３３の間の隙間に進入する。
【００４０】
上キャップ３０を下キャップ２０に連結し、上キャップ３０、下キャップ２０の各外周の軸方向の突部３１ｂ、２２ｂを周方向に９０°違えるように上キャップ３０を時計方向に回転させると（図９（Ｂ））、上キャップ３０側の流出孔３７の位置を下キャップ２０側の連通孔２６の位置から９０°異ならせ、上キャップ３０を閉位置にセットして流出孔３７、連通孔２６の間の連通を断つことができる。このとき、下キャップ２０の湾曲片２５は、上キャップ３０の閉位置用のストッパ３５に片側が当接して位置決めされるとともに、上キャップ３０の閉位置用の突条３６が湾曲片２５の背面の一方の浅溝２５ａに係合して適切なクリック感を発現する。なお、図９（Ｂ）は、図９（Ａ）のＡ3 −Ａ3 線矢視相当断面図である。
【００４１】
一方、ホルダ４０を介して上キャップ３０のソケット部３２に装着する塗布体Ａは、キャップ５０によって保護することができる（図９（Ａ）、（Ｂ）の二点鎖線）。キャップ５０は、図８に示す内面の四周の山形の膨出部５４ｄ、５４ｄ…がソケット部３２の外周中間部の環状リブ３２ｃに係脱することにより、ソケット部３２の外フランジ３２ｄの前方に着脱することができる。ホルダ４０内の塗布体Ａは、ホルダ４０のヒンジ４２、４２間の開口部４２ｂを介して後端面がソケット部３２の最奥部の流出孔３７、凹部３７ａに対面する。また、塗布体Ａの左右の端面は、それぞれホルダ４０の平板状に噛み合う上下の仕切板４５、４５によって区画されている。
【００４２】
かかる塗布容器は、閉位置の上キャップ３０を反時計方向に９０°回転させ、上キャップ３０の突部３１ｂを下キャップ２０の突部２２ｂに一致させることにより（図１０（Ａ）、（Ｂ））、上キャップ３０の流出孔３７を下キャップ２０の連通孔２６に対面させて両者を連通させ、上キャップ３０を開位置に切換操作することができる。なお、図１０（Ｂ）は、図１０（Ａ）のＡ4 −Ａ4 線矢視相当断面図である。
【００４３】
上キャップ３０を開位置に回転させると、下キャップ２０の湾曲片２５は、開位置用のストッパ３５に当接して位置決めされる。また、湾曲片２５の背面側の他方の浅溝２５ａには、開位置用の突条３６が係合し、適切なクリック感を発現することができる。そこで、キャップ５０を外し、全体を倒立させて容器本体１０を押圧して変形させると、容器本体１０内の薬液は、口部１２から下キャップ２０の中筒２４、連通孔２６、上キャップ３０の流出孔３７を経てソケット部３２内の塗布体Ａに均一に含浸させることができる。塗布体Ａの後端面は、ホルダ４０の開口部４２ｂを介し、ソケット部３２の奥壁上に形成されている流出孔３７を含む凹部３７ａに対面しているからである。したがって、ソケット部３２の前端に突出する塗布体Ａの端面を塗布面として任意の部位に薬液を塗布することができる。
【００４４】
薬液の塗布が完了したら、上キャップ３０を時計方向に９０°回転させて元の閉位置に復帰させるとともに、キャップ５０をソケット部３２に装着して塗布体Ａを保護する。また、このようにして上キャップ３０を開位置から閉位置に切換操作する際にも、ストッパ３５、湾曲片２５により上キャップ３０が位置決めされ、突条３６、湾曲片２５の浅溝２５ａにより適切なクリック感を得ることができる。
【００４５】
なお、塗布体Ａは、ソケット部３２から突出する横長の端面を塗布面とすることにより、大面積の部位に対しても速やかに薬液を塗布することができ、屋内でのみならず、屋外であっても好適に使用することができる。また、塗布容器は、使用者が自分の身体の所望の部位に使用するに加えて、他人の身体に対して使用してもよい。
【他の実施の形態】
【００４６】
ホルダ４０は、塗布体Ａを上下に折り重ねて保持し（図１１）、塗布体Ａは、上下に二重に重なる前端面を塗布面とすることができる。なお、図１１（Ｂ）は、図１１（Ａ）の中央縦断面相当図である。
【００４７】
また、ホルダ４０は、上キャップ３０のソケット部３２と一体に形成してもよい（図１２）。
【００４８】
図１２において、ソケット部３２は、ヒンジ４２を介して開閉するカバー材４１、４１により形成され、ヒンジ４２は、上キャップ３０の上端部に横向きに固定されている。一方のカバー材４１は、支持アーム４６、４６を介してヒンジ４２とともに上キャップ３０に斜め上向きに連結する上面及び前面開放の箱体として形成され、他方のカバー材４１は、別の支持アーム４６ａ、４６ａを介してヒンジ４２に連結し、箱体としてのカバー材４１を開閉する蓋体として形成されている。カバー材４１、４１の内面には、それぞれ塗布体Ａを突き刺して保持する突起４４、４４…が形成されている。蓋体としてのカバー材４１を箱体としてのカバー材４１の上方に閉じることによって、塗布体Ａを挟み込んで保持するホルダ４０と一体のソケット部３２を形成することができる。
【００４９】
なお、箱体としてのカバー材４１の後面には、流出孔３７が開口されている。また、蓋体としてのカバー材４１は、箱体としてのカバー材４１上に閉じた後、塗布体Ａの保持状態を維持する簡便なロック機構を備えるものとする。
【００５０】
以上の説明において、塗布体Ａは、溶着や接着などによりホルダ４０と一体に構成することも可能である。また、ソケット部３２は、容器本体１０、下キャップ２０、上キャップ３０の共通の軸心方向に対し、たとえば８０°〜２０°の範囲の斜め上向きに設定することができる。
【産業上の利用可能性】
【００５１】
この発明は、筋肉消炎剤などの人体に塗布する薬液に限らず、ガラス面や自動車ボデーなどに塗布する洗浄剤などの薬液の塗布用としても広く好適に適用することができる。
【符号の説明】
【００５２】
Ａ…塗布体
１０…容器本体
１２…口部
２０…下キャップ
２６…連通孔
３０…上キャップ
３２…ソケット部
３７…流出孔
４０…ホルダ
特許出願人      伸晃化学株式会社
【図１】
2014001008.tif 000003
【図２】
2014001008.tif 000004
【図３】
2014001008.tif 000005
【図４】
2014001008.tif 000006
【図５】
2014001008.tif 000007
【図６】
2014001008.tif 000008
【図７】
2014001008.tif 000009
【図８】
2014001008.tif 000010
【図９】
2014001008.tif 000011
【図１０】
2014001008.tif 000012
【図１１】
2014001008.tif 000013
【図１２】
2014001008.tif 000014